【手続補正書】
【提出日】平成19年12月5日(2007.12.5)
【手続補正１】
【補正対象書類名】明細書
【補正対象項目名】特許請求の範囲
【補正方法】変更
【補正の内容】
【特許請求の範囲】
【請求項１】
複数の設定項目についてパラメータを設定するためのプリンタドライバを備えた情報処理装置であって、
複数の設定項目のパラメータを有するパラメータ群に対して、アプリケーションから指定される特定の設定項目のパラメータが、前記パラメータ群における前記特定の設定項目のパラメータより優先することを示す情報を設定する設定手段と、
複数のパラメータ群から１つのパラメータ群を選択する選択手段と、
前記選択手段によって選択されたパラメータ群に対して前記優先することを示す情報が設定されていない場合、前記選択手段によって選択された前記パラメータ群における全ての設定項目のパラメータを用いることを決定し、一方、前記選択手段によって選択されたパラメータ群に対して前記優先することを示す情報が設定されている場合、前記選択手段によって選択された前記パラメータ群における前記特定の設定項目とは異なる設定項目のパラメータを用いることを決定する決定手段とを備えることを特徴とする情報処理装置。
【請求項２】
前記決定手段は、前記選択手段によって選択されたパラメータ群に対して前記優先することを示す情報が設定されている場合、前記特定の設定項目とは異なる設定項目については前記選択手段によって選択された前記パラメータ群のパラメータを用い、かつ、前記特定の設定項目については前記アプリケーションによって指定されたパラメータを用いることを決定することを特徴とする請求項１に記載の情報処理装置。
【請求項３】
前記パラメータ群は、前記プリンタドライバを用いて設定すべき全設定項目のパラメータを有しており、
前記決定手段は、前記選択手段によって選択されたパラメータ群に対して前記優先することを示す情報が設定されている場合、前記選択手段によって選択された前記パラメータ群における前記特定の設定項目のパラメータを前記アプリケーションにより設定されたパラメータに変更することを特徴とする請求項２に記載の情報処理装置。
【請求項４】
複数の設定項目のパラメータを有するパラメータ群を設定するプリンタドライバを備えた情報処理装置であって、
複数のパラメータ群から１つのパラメータ群を選択する第１選択手段と、
前記第１選択手段によって選択されたパラメータ群が、プリンタドライバの全設定項目について前記パラメータ群に設定されたパラメータを用いるべきパラメータ群である場合、前記プリンタドライバにて設定される全設定項目について当該パラメータ群に設定されたパラメータを用いることを決定し、一方、前記第１選択手段によって選択されたパラメータ群が、プリンタドライバの全設定項目における特定の設定項目とは異なる設定項目について前記パラメータ群に設定されたパラメータを用いるべきパラメータ群である場合、前記特定の設定項目についてはアプリケーションにおいて設定されたパラメータを用い、前記特定の設定項目とは異なる設定項目については前記パラメータ群に設定されたパラメータを用いることを決定する決定手段とを備えることを特徴とする情報処理装置。
【請求項５】
複数のパラメータ群から１つのパラメータ群を選択する第２選択手段と、
前記第２選択手段によって選択されたパラメータ群に対して、プリンタドライバの全設定項目について前記パラメータ群に設定されたパラメータを反映させるか、前記特定の設定項目とは異なる設定項目について前記パラメータ群に設定されたパラメータを反映させるかを設定する設定手段とを更に有することを特徴とする請求項４に記載の情報処理装置。
【請求項６】
前記第２選択手段によって選択されたパラメータ群の名称、コメントを編集する編集手段を更に有することを特徴とする請求項４または５に記載の情報処理装置。
【請求項７】
複数の設定項目のパラメータを有するパラメータ群を設定するプリンタドライバを備えた情報処理装置であって、
複数のパラメータ群から１つのパラメータ群を選択する選択手段と、
プリンタドライバの全設定項目について、前記選択手段によって選択されたパラメータ群に設定されたパラメータを用いることを決定する第１決定手段と、
プリンタドライバの全設定項目の内、前記特定の設定項目については前記受付手段によって受け付けたアプリケーションにより設定されたパラメータを用い、前記特定の設定項目とは異なる設定項目については、前記選択手段によって選択されたパラメータ群に設定されたパラメータを用いることを決定する第２決定手段とを備えることを特徴とする情報処理装置。
【請求項８】
複数の設定項目のパラメータを有するパラメータ群に対して、アプリケーションから指定される特定の設定項目のパラメータが、前記パラメータ群における前記特定の設定項目のパラメータより優先することを示す情報を設定する設定手段を更に備え、
前記設定手段に前記優先することを示す情報が設定されていない場合、前記第１決定手段がプリンタドライバの全設定項目について、前記選択手段によって選択されたパラメータ群に設定されたパラメータを用いることを決定し、前記優先することを示す情報が設定されていた場合、前記第２決定手段がプリンタドライバの全設定項目の内、前記特定の設定項目については前記受付手段によって受け付けたアプリケーションにより設定されたパラメータを用い、前記特定の設定項目とは異なる設定項目については、前記選択手段によって選択されたパラメータ群に設定されたパラメータを用いることを決定するように制御する制御手段とを更に有することを特徴とする請求項７に記載の情報処理装置。
【請求項９】
複数の設定項目についてパラメータを設定するためのプリンタドライバを備えた情報処理方法であって、
複数の設定項目のパラメータを有するパラメータ群に対して、アプリケーションから指定される特定の設定項目のパラメータが、前記パラメータ群における前記特定の設定項目のパラメータより優先することを示す情報を設定する設定工程と、
複数のパラメータ群から１つのパラメータ群を選択する選択工程と、
前記選択工程によって選択されたパラメータ群に対して前記優先することを示す情報が設定されていない場合、前記選択工程によって選択された前記パラメータ群における全ての設定項目のパラメータを用いることを決定し、一方、前記選択工程によって選択されたパラメータ群に対して前記優先することを示す情報が設定されている場合、前記選択工程によって選択された前記パラメータ群における前記特定の設定項目とは異なる設定項目のパラメータを用いることを決定する決定工程とを含むことを特徴とする情報処理方法。
【請求項１０】
前記決定工程は、前記選択工程によって選択されたパラメータ群に対して前記優先することを示す情報が設定されている場合、前記特定の設定項目とは異なる設定項目については前記選択工程によって選択された前記パラメータ群のパラメータを用い、かつ、前記特定の設定項目については前記アプリケーションによって指定されたパラメータを用いることを決定することを特徴とする請求項９に記載の情報処理方法。
【請求項１１】
前記パラメータ群は、前記プリンタドライバを用いて設定すべき全設定項目のパラメータを有しており、
前記決定工程は、前記選択工程によって選択されたパラメータ群に対して前記優先することを示す情報が設定されている場合、前記選択工程によって選択された前記パラメータ群における前記特定の設定項目のパラメータを前記アプリケーションにより設定されたパラメータに変更することを特徴とする請求項１０に記載の情報処理方法。
【請求項１２】
複数の設定項目のパラメータを有するパラメータ群を設定するプリンタドライバを用いた情報処理方法であって、
複数のパラメータ群から１つのパラメータ群を選択する第１選択工程と、
前記第１選択工程によって選択されたパラメータ群が、プリンタドライバの全設定項目について前記パラメータ群に設定されたパラメータを用いるべきパラメータ群である場合、前記プリンタドライバにて設定される全設定項目について当該パラメータ群に設定されたパラメータを用いることを決定し、一方、前記第１選択工程によって選択されたパラメータ群が、プリンタドライバの全設定項目における特定の設定項目とは異なる設定項目について前記パラメータ群に設定されたパラメータを用いるべきパラメータ群である場合、前記特定の設定項目についてはアプリケーションにおいて設定されたパラメータを用い、前記特定の設定項目とは異なる設定項目については前記パラメータ群に設定されたパラメータを用いることを決定する決定工程とを含むことを特徴とする情報処理方法。
【請求項１３】
複数のパラメータ群から１つのパラメータ群を選択する第２選択工程と、
前記第２選択工程によって選択されたパラメータ群に対して、プリンタドライバの全設定項目について前記パラメータ群に設定されたパラメータを反映させるか、前記特定の設定項目とは異なる設定項目について前記パラメータ群に設定されたパラメータを反映させるかを設定する設定工程とを更に含むことを特徴とする請求項１２に記載の情報処理方法。
【請求項１４】
前記第２選択工程によって選択されたパラメータ群の名称、コメントを編集する編集工程を更に含むことを特徴とする請求項１２または１３に記載の情報処理方法。
【請求項１５】
複数の設定項目のパラメータを有するパラメータ群を設定するプリンタドライバを用いた情報処理方法であって、
複数のパラメータ群から１つのパラメータ群を選択する選択工程と、
プリンタドライバの全設定項目について、前記選択工程によって選択されたパラメータ群に設定されたパラメータを用いることを決定する第１決定工程と、
プリンタドライバの全設定項目の内、前記特定の設定項目については前記受付工程によって受け付けたアプリケーションにより設定されたパラメータを用い、前記特定の設定項目とは異なる設定項目については、前記選択工程によって選択されたパラメータ群に設定されたパラメータを用いることを決定する第２決定工程とを含むことを特徴とする情報処理方法。
【請求項１６】
複数の設定項目のパラメータを有するパラメータ群に対して、アプリケーションから指定される特定の設定項目のパラメータが、前記パラメータ群における前記特定の設定項目のパラメータより優先することを示す情報を設定する設定工程と、
前記優先することを示す情報が設定されていない場合、前記第１決定工程を実行し、前記優先することを示す情報が設定されていた場合、前記第２決定工程を実行する制御工程とを更に含むことを特徴とする請求項１５に記載の情報処理方法。
【請求項１７】
請求項９乃至１６の何れか１項に記載の情報処理方法に含まれる各工程を、コンピュータに実行させるためのプログラムを格納したコンピュータ読取可能な記憶媒体。
【手続補正２】
【補正対象書類名】明細書
【補正対象項目名】０００６
【補正方法】変更
【補正の内容】
【０００６】
上記目的を達成するため、本発明に係る装置は、
複数の設定項目についてパラメータを設定するためのプリンタドライバを備えた情報処理装置であって、
複数の設定項目のパラメータを有するパラメータ群に対して、アプリケーションから指定される特定の設定項目のパラメータが、前記パラメータ群における前記特定の設定項目のパラメータより優先することを示す情報を設定する設定手段と、
複数のパラメータ群から１つのパラメータ群を選択する選択手段と、
前記選択手段によって選択されたパラメータ群に対して前記優先することを示す情報が設定されていない場合、前記選択手段によって選択された前記パラメータ群における全ての設定項目のパラメータを用いることを決定し、一方、前記選択手段によって選択されたパラメータ群に対して前記優先することを示す情報が設定されている場合、前記選択手段によって選択された前記パラメータ群における前記特定の設定項目とは異なる設定項目のパラメータを用いることを決定する決定手段とを備えることを特徴とする。
【手続補正３】
【補正対象書類名】明細書
【補正対象項目名】０００７
【補正方法】変更
【補正の内容】
【０００７】
上記目的を達成するため、本発明に係る他の装置は、
複数の設定項目のパラメータを有するパラメータ群を設定するプリンタドライバを備えた情報処理装置であって、
複数のパラメータ群から１つのパラメータ群を選択する第１選択手段と、
前記第１選択手段によって選択されたパラメータ群が、プリンタドライバの全設定項目について前記パラメータ群に設定されたパラメータを用いるべきパラメータ群である場合、前記プリンタドライバにて設定される全設定項目について当該パラメータ群に設定されたパラメータを用いることを決定し、一方、前記第１選択手段によって選択されたパラメータ群が、プリンタドライバの全設定項目における特定の設定項目とは異なる設定項目について前記パラメータ群に設定されたパラメータを用いるべきパラメータ群である場合、前記特定の設定項目についてはアプリケーションにおいて設定されたパラメータを用い、前記特定の設定項目とは異なる設定項目については前記パラメータ群に設定されたパラメータを用いることを決定する決定手段とを備えることを特徴とする。
【手続補正４】
【補正対象書類名】明細書
【補正対象項目名】０００８
【補正方法】変更
【補正の内容】
【０００８】
上記目的を達成するため、本発明に係る更に他の装置は、
複数の設定項目のパラメータを有するパラメータ群を設定するプリンタドライバを備えた情報処理装置であって、
複数のパラメータ群から１つのパラメータ群を選択する選択手段と、
プリンタドライバの全設定項目について、前記選択手段によって選択されたパラメータ群に設定されたパラメータを用いることを決定する第１決定手段と、
プリンタドライバの全設定項目の内、前記特定の設定項目については前記受付手段によって受け付けたアプリケーションにより設定されたパラメータを用い、前記特定の設定項目とは異なる設定項目については、前記選択手段によって選択されたパラメータ群に設定されたパラメータを用いることを決定する第２決定手段とを備えることを特徴とする。
【手続補正５】
【補正対象書類名】明細書
【補正対象項目名】０００９
【補正方法】変更
【補正の内容】
【０００９】
上記目的を達成するため、本発明に係る方法は、
複数の設定項目についてパラメータを設定するためのプリンタドライバを備えた情報処理方法であって、
複数の設定項目のパラメータを有するパラメータ群に対して、アプリケーションから指定される特定の設定項目のパラメータが、前記パラメータ群における前記特定の設定項目のパラメータより優先することを示す情報を設定する設定工程と、
複数のパラメータ群から１つのパラメータ群を選択する選択工程と、
前記選択工程によって選択されたパラメータ群に対して前記優先することを示す情報が設定されていない場合、前記選択工程によって選択された前記パラメータ群における全ての設定項目のパラメータを用いることを決定し、一方、前記選択工程によって選択されたパラメータ群に対して前記優先することを示す情報が設定されている場合、前記選択工程によって選択された前記パラメータ群における前記特定の設定項目とは異なる設定項目のパラメータを用いることを決定する決定工程とを含むことを特徴とする。
【手続補正６】
【補正対象書類名】明細書
【補正対象項目名】００１０
【補正方法】変更
【補正の内容】
【００１０】
上記目的を達成するため、本発明に係る他の方法は、
複数の設定項目のパラメータを有するパラメータ群を設定するプリンタドライバを用いた情報処理方法であって、
複数のパラメータ群から１つのパラメータ群を選択する第１選択工程と、
前記第１選択工程によって選択されたパラメータ群が、プリンタドライバの全設定項目について前記パラメータ群に設定されたパラメータを用いるべきパラメータ群である場合、前記プリンタドライバにて設定される全設定項目について当該パラメータ群に設定されたパラメータを用いることを決定し、一方、前記第１選択工程によって選択されたパラメータ群が、プリンタドライバの全設定項目における特定の設定項目とは異なる設定項目について前記パラメータ群に設定されたパラメータを用いるべきパラメータ群である場合、前記特定の設定項目についてはアプリケーションにおいて設定されたパラメータを用い、前記特定の設定項目とは異なる設定項目については前記パラメータ群に設定されたパラメータを用いることを決定する決定工程とを含むことを特徴とする。
【手続補正７】
【補正対象書類名】明細書
【補正対象項目名】００１１
【補正方法】変更
【補正の内容】
【００１１】
上記目的を達成するため、本発明に係る更に他の方法は、
複数の設定項目のパラメータを有するパラメータ群を設定するプリンタドライバを用いた情報処理方法であって、
複数のパラメータ群から１つのパラメータ群を選択する選択工程と、
プリンタドライバの全設定項目について、前記選択工程によって選択されたパラメータ群に設定されたパラメータを用いることを決定する第１決定工程と、
プリンタドライバの全設定項目の内、前記特定の設定項目については前記受付工程によって受け付けたアプリケーションにより設定されたパラメータを用い、前記特定の設定項目とは異なる設定項目については、前記選択工程によって選択されたパラメータ群に設定されたパラメータを用いることを決定する第２決定工程とを含むことを特徴とする。
【手続補正８】
【補正対象書類名】明細書
【補正対象項目名】００１２
【補正方法】変更
【補正の内容】
【００１２】
上記目的を達成するため、本発明に係る記憶媒体は、コンピュータ読取可能な記憶媒体であって、上述の情報処理方法に含まれる各工程を、コンピュータに実行させるためのプログラムを格納したことを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】